(57)【特許請求の範囲】
【請求項１】
ＣＤＭＡ通信の複数のチャネルを介してそれぞれ伝送される拡散信号を受信する受信装置であって、
上記複数のチャネルに対するタイミング信号を生成するために時分割に利用され、上記複数のチャネルを介してそれぞれ伝送される拡散信号を含む入力信号と各チャネルにそれぞれ対応する拡散符号との相関に従って各チャネルに対応するタイミング信号を生成するパス検出器と、
上記複数のチャネルに対して設けられ、それぞれ、上記パス検出器により生成されるタイミング信号に従って、上記入力信号に含まれている複数の拡散信号の中から所定の拡散信号を復調する複数の逆拡散復調器と、
を有する受信装置。
【請求項２】
上記パス検出器は、
上記複数のチャネルに対応して予め用意されている複数の拡散符号を順番に選択して出力する拡散符号生成手段と、
上記入力信号と上記拡散符号生成手段により生成された拡散符号との相関レベルデータを出力するマッチトフィルタと、
上記相関レベルデータに基づいてタイミング信号を生成するタイミング信号生成手段と、
を有する請求項１に記載の受信装置。
【請求項３】
各チャネルを介して伝送される拡散信号は、それぞれ所定間隔ごとに挿入されたパイロット信号を含んでおり、
上記パス検出器は、各チャネル毎にパイロット信号を用いてタイミング信号を生成する請求項１に記載の受信装置。
【請求項４】
各チャネル毎に複数のパイロット信号を用いてタイミング信号が生成される構成であって、
上記パス検出器は、
パイロット信号間の相関が高い場合に電圧加算演算によりパスを検出する第１のパス検出手段と、
パイロット信号間の相関が低い場合に電力加算演算によりパスを検出する第２のパス検出手段と、
上記第１および第２のパス検出手段により検出されたパスに基づいて上記タイミング信号を生成するタイミング信号生成手段と、
を有する請求項１に記載の受信装置。
【請求項５】
各チャネル毎に複数のパイロット信号を用いてタイミング信号が生成される構成であって、
上記パス検出器は、
各パイロット信号についての相関レベルデータの絶対値を加算する演算によりパスを検出するパス検出手段と、
上記パス検出手段により検出されたパスに基づいて上記タイミング信号を生成するタイミング信号生成手段と、
を有する請求項１に記載の受信装置。
【請求項６】
上記複数の逆拡散復調器についての優先順位に係わる情報を格納する優先順位情報格納手段をさらに有し、
上記パス検出器は、上記優先順位情報格納手段に格納されている優先順位情報に基づいて決まる逆拡散復調器のために動作する請求項１に記載の受信装置。
【請求項７】
あるチャネルについて同期確立処理が要求されたときに、そのチャネルに対応する逆拡散復調器に高い優先順位を与える請求項６に記載の受信装置。
【請求項８】
上記複数のチャネルの各遅延プロファイルを検出するプロファイル検出手段と、
チャネル毎に検出された遅延プロファイルの変動の大きさに基づいて上記複数の逆拡散復調器についての優先順位を決定する優先順位決定手段と、
をさらに有する請求項６に記載の受信装置。
【請求項９】
上記優先順位決定手段が、チャネルごとの最大パスの変動に基づいて上記複数の逆拡散復調器についての優先順位を決定する請求項８に記載の受信装置。
【請求項１０】
上記優先順位決定手段が、チャネル毎の最大パスおよびその最大パスから所定の範囲内に存在するパスの変動に基づいて上記複数の逆拡散復調器についての優先順位を決定する請求項８に記載の受信装置。
【請求項１１】
上記パス検出器が、チャネル毎の誤り率に基づいて上記複数の逆拡散復調器についての優先順位を決定する請求項６に記載の受信装置。
【請求項１２】
複数のチャネルのパイロット信号のタイミングが互いに重なり合ったときにのみ上記パス検出器が上記優先順位情報格納手段を参照する請求項６に記載の受信装置。
【請求項１３】
上記入力信号を格納するメモリと、
複数のチャネルのパイロット信号のタイミングが互いに重なり合ったときに、上記メモリから上記入力信号を読み出して上記パス検出器に与えるメモリ制御手段と、をさらに有し、
上記パス検出器が、上記複数のチャネルのパイロット信号を用いてそれらチャネルにそれぞれ対応するタイミング信号を順番に生成していく請求項３に記載の受信装置。
【請求項１４】
上記メモリ制御手段は、互いに重なり合ったパイロット信号の数に応じて上記メモリから必用な回数だけ上記入力信号を読み出して上記パス検出器に与える請求項１３に記載の受信装置。
【請求項１５】
上記複数のチャネルのパイロット信号のタイミングが互いに重なり合ったときに、上記入力信号のうちそのパイロット信号を含む部分のみが上記メモリに格納される請求項１３に記載の受信装置。
【請求項１６】
上記複数の逆拡散復調器に入力すべき信号を、上記パス検出器によって上記タイミング信号が生成されるのに要する時間だけ遅延させる遅延手段をさらに有する請求項１に記載の受信装置。
【請求項１７】
上記入力信号のうちの少なくともパイロット信号を含む部分を格納するメモリと、
Ｌブランチスペースダイバーシチ受信を行う際に、上記メモリから上記パイロット信号をＬ−１回読み出して上記パス検出器に与えるメモリ制御手段と、をさらに有し、
上記パス検出器が、上記読み出された各パイロット信号を用いてそれぞれタイミング信号を順番に生成していく請求項３に記載の受信装置。
【請求項１８】
ＣＤＭＡ通信の複数のチャネルを介してそれぞれ伝送される拡散信号を受信する受信装置であって、
時分割に動作することによって、上記複数のチャネルについての遅延プロファイルを検出し、それらの遅延プロファイルに基づいて各チャネルに対応するタイミング信号を生成するパス検出器と、
上記複数のチャネルに対して設けられ、それぞれ、上記パス検出器により生成されるタイミング信号に従って、入力信号に含まれている複数の拡散信号の中から所定の拡散信号を復調する複数の逆拡散復調器と、
を有する受信装置。
【請求項１９】
ＣＤＭＡ通信の複数のチャネルを介してそれぞれ伝送される拡散信号を受信する受信装置であって、
上記複数のチャネルに対してそれぞれ設けられ、それぞれ対応するチャネルを介して伝送されてくる拡散信号を対応する拡散符号を用いて逆拡散することによってその拡散信号を復調する複数の逆拡散復調器と、
上記複数のチャネルを介して伝送される各拡散信号を拡散するために用いられる各拡散符号の位相を指示する指示手段と、を有し、
上記指示手段が上記複数の逆拡散復調器により共用される受信装置。
【請求項２０】
ＣＤＭＡ通信の複数のチャネルを介してそれぞれ伝送される拡散信号を受信する受信装置で使用される処理回路あって、
上記複数のチャネルに対するタイミング信号を生成するために時分割に利用され、上記複数のチャネルを介してそれぞれ伝送される拡散信号を含む入力信号と各チャネルにそれぞれ対応する拡散符号との相関に従って各チャネルに対応するタイミング信号を生成するパス検出器と、
上記複数のチャネルに対して設けられ、それぞれ、上記パス検出器により生成されるタイミング信号に従って、上記入力信号に含まれている複数の拡散信号の中から所定の拡散信号を復調する複数の逆拡散復調器と、
を有する処理回路。
【請求項２１】
ＣＤＭＡ通信の複数のチャネルを介してそれぞれ伝送される拡散信号を受信する受信装置で使用される処理回路あって、
時分割に動作することによって、上記複数のチャネルについての遅延プロファイルを検出し、それらの遅延プロファイルに基づいて各チャネルに対応するタイミング信号を生成するパス検出器と、
上記複数のチャネルに対して設けられ、それぞれ、上記パス検出器により生成されるタイミング信号に従って、入力信号に含まれている複数の拡散信号の中から所定の拡散信号を復調する複数の逆拡散復調器と、
を有する処理回路。
【発明の詳細な説明】
【０００１】
【発明の属する技術分野】
本発明は、ＣＤＭＡ通信システムにおいて使用される受信機に係わる。
【０００２】
【従来の技術】
移動体通信が広く普及してきている。通信方式としては、ＦＤＭＡ（周波数分割多重：Frequency Division Multiple Access）、ＴＤＭＡ（時分割多重：TimeDivision Multiple Access）、ＣＤＭＡ（Code Division Multiple Access ）等が実施されている。これらのうち、ＣＤＭＡは、次世代通信の標準方式の１つとして注目されている。
【０００３】
ＣＤＭＡは、スペクトラム拡散技術を利用した通信方式である。したがって、ＣＤＭＡでは、ユーザ毎に固有の拡散符号を使用することにより、複数のユーザが同時に同じ周波数を共有できる。拡散符号としては、たとえば、ＰＮ（疑似雑音：Pseudo Noise）系列、あるいはGold符号が使用されている。拡散符号の帯域は、伝送すべきデータの帯域よりもはるかに広い。
【０００４】
送信装置は、伝送すべきデータに拡散符号を乗算して出力する。このことにより、伝送信号の周波数帯域が広がる。すなわち、スペクトルが拡散される。受信装置は、送信装置により使用された拡散符号と同じ拡散符号を受信信号に乗算することにより、データを再生する。なお、受信装置において、送信側で使用した拡散符号と異なる拡散符号を受信信号に乗算した場合には、データを正しく再生できない。
【０００５】
ＣＤＭＡは、以下の特徴を有する。まず、複数のユーザが同時に同じ周波数帯域を共有するので、単位帯域幅当たりのユーザチャネル数を多くできる。また、伝送信号の周波数帯域が広がっているので、フェージングの影響を受けにくい。さらに、送信装置および受信装置において互いに同じ拡散符号を使用しないとデータを正しく再生できないので、秘話性がよい。
【０００６】
図２３は、既存の受信装置のブロック図である。受信装置５００は、受信した拡散信号に拡散符号を乗算することにより復調信号を生成する。ところが、一般に、送信装置と受信装置との間では、互いに通信路長の異なる複数のパスが存在する。このため、受信装置に入力される拡散信号は、基本的に、互いに異なるパスを介して伝送される複数の信号を含んでいる。なお、上記のような複数のパスが存在する状態は、しばしばマルチパス環境と呼ばれる。
【０００７】
パス検出器５０１は、マルチパス環境下において、各パスを介して伝送されてきた信号を識別する。具体例として、パス検出器５０１は、マッチトフィルタを備え、受信した拡散信号と拡散符号との相関を連続的に検出することにより、その拡散信号の遅延プロファイルを得る。この遅延プロファイルは、互いに異なるパスを介して伝送される複数の信号の各遅延量（あるいは、位相遅延）を表すデータである。パス検出器５０１は、この遅延プロファイルに基づいてタイミング信号を生成する。そして、逆拡散復調器５０２は、そのタイミング信号に従って受信した拡散信号に拡散符号を乗算し、復調信号を生成する。
【０００８】
なお、移動体通信では、移動体端末の移動により、或いは伝送路の環境の変化などにより通信チャネルの遅延プロファイルが随時変化する。この場合、逆拡散復調器５０２は、その遅延プロファイルの変化に応じて拡散信号に拡散符号を乗算するタイミングを調整する必用がある。したがって、パス検出器５０１は、通信チャネルの遅延プロファイルを定期的にモニタし、その結果に基づいてタイミング信号を生成して逆拡散復調器５０２に与える。そして、逆拡散復調器５０２が、そのタイミング信号に従って乗算タイミングを調整しながら拡散信号の復調を継続する。
【０００９】
【発明が解決しようとする課題】
ところで、近年、ＣＤＭＡ通信システムにおいて、互いに独立した複数の通信チャネルを介してそれぞれ伝送されてくる信号を同時に受信できる受信装置についての検討が開始されている。しかしながら、現在までのところ、この機能を実現するための具体的な提案はされていない。
【００１０】
上記機能を実現するためには、図２３に示したパス検出器５０１および逆拡散復調器５０２から構成される受信装置を複数設ければよい。すなわち、複数組のパス検出器および逆拡散復調器を設ければ実現できる。この場合、各パス検出器がそれぞれ１つの通信チャネルについて遅延プロファイルを検出し、対応する逆拡散復調器がそれぞれ検出された遅延プロファイルに従って拡散信号を復調する。
【００１１】
しかしながら、当業者にはよく知られているように、パス検出器内に設けられるマッチトフィルタは回路規模が非常に大きく、また消費電力も大きい。したがって、受信装置に複数のパス検出器を設けると、その受信装置の回路規模が大きくなり、また、その消費電力も大ききなってしまう。すなわち、この問題は、受信装置を小型化したいという要求に対する障害となる。
【００１２】
本発明の課題は、ＣＤＭＡ通信システムにおいて複数のチャネルを介してそれぞれ伝送されてくる拡散信号を同時に受信できる装置を提供すると共に、その装置の小型化および低消費電力化を図ることである。
【００１３】
【課題を解決するための手段】
本発明の受信装置は、ＣＤＭＡ通信の複数のチャネルを介してそれぞれ伝送される拡散信号を受信する構成を前提とし、パス検出器および複数の逆拡散復調器と備える。パス検出器は、上記複数のチャネルに対するタイミング信号を生成するために時分割に利用され、上記複数のチャネルを介してそれぞれ伝送される拡散信号を含む入力信号と各チャネルにそれぞれ対応する拡散符号との相関に従って各チャネルに対応するタイミング信号を生成する。また、複数の逆拡散復調器は、上記複数のチャネルに対して設けられ、それぞれ、上記パス検出器により生成されるタイミング信号に従って、上記入力信号に含まれている複数の拡散信号の中から所定の拡散信号を復調する。
【００１４】
上記構成において、パス検出器は、ある時間帯にはあるチャネルのために動作し、他の時間帯には他のチャネルのために動作する。すなわち、パス検出器は、複数のチャネルに対して時分割的に割り当てられ、それら複数のチャネルのためにタイミング信号を生成する。このため、本発明の受信装置は、１つのパス検出器を用いて複数のチャネルを介して同時に伝送される複数の拡散信号を受信できるので、受信装置の小型化および低消費電力化を実現できる。
【００１５】
上記構成に加え、上記複数の逆拡散復調器についての優先順位に係わる情報を格納する優先順位情報格納手段をさらに設け、上記パス検出器がその優先順位情報格納手段に格納されている優先順位情報に基づいて決まる逆拡散復調器のために動作するようにしてもよい。
【００１６】
このような構成とすれば、優先順位情報の設定により、所望のチャネルについてのタイミング調整を優先的に行えるので、複数のチャネルの通信品質が良好な状態に保たれる。
【００１７】
【発明の実施の形態】
図１は、本発明の一実施形態のＣＤＭＡ用受信装置が使用されるＣＤＭＡ通信システムの構成図である。基地局１０は、移動機２１、２３、２５との間で通信チャネルを介して無線信号を送受信する。基地局および移動機は、それぞれ拡散変調ユニットおよび逆拡散復調ユニットを備える。拡散変調ユニットは、伝送すべき信号に拡散符号を乗算してその信号のスペクトルを拡散する。一方、逆拡散復調ユニットは、受信信号に拡散符号を乗算することにより信号を復調する。なお、図１では、図面を見やすくするために省略しているが、実際は、移動機２１は拡散変調ユニット２２を備え、また、移動機２３および２５は、それぞれ逆拡散復調ユニットを備える。
【００１８】
基地局１０と各移動機２１、２３、２５との間では、信号は、互いに独立した通信チャネルを介して伝送される。基地局１０および各移動機２１、２３、２５は、それぞれ複数の通信チャネルを介して伝送されてくる信号を受信することができる。ここで、一例として、移動機２３から移動機２１へ基地局１０を介してデータａが伝送されると同時に、移動機２５から移動機２１へ基地局１０を介してデータｂが伝送される場合の動作を説明する。なお、移動機２３から基地局１０へ信号を伝送するために通信チャネルＣＨ＃１１が設定され、移動機２５から基地局１０へ信号を伝送するために通信チャネルＣＨ＃１２が設定されているものとする。また、基地局１０から移動機２１へ信号を伝送るるために２本の通信チャネルＣＨ＃１およびＣＨ＃２が設定されているものとする。これらの通信チャネルは、基地局１０または基地局１０に接続される不図示の交換機により設定される。
【００１９】
移動機２３は、通信チャネルＣＨ＃１１に対応する拡散符号＃１１を用いてデータａを拡散し、その拡散信号を出力する。同様に、移動機２５は、通信チャネルＣＨ＃１２に対応する拡散符号＃１２を用いてデータｂを拡散し、その拡散信号を出力する。これらの拡散処理は、それぞれ拡散変調ユニット２４および２６により行われる。
【００２０】
基地局１０は、多数の移動機からの拡散信号を受信する。逆拡散復調ユニット１２は、通信チャネルＣＨ＃１１およびＣＨ＃１２を介して伝送されてくる拡散信号を復調するために、拡散符号＃１１および＃１２を独立して用いながら受信信号を拡散する。このことにより、データａおよびデータｂが再生される。
【００２１】
基地局１０は、データａおよびデータｂの宛先が移動機２１であることを認識すると、通信チャネルＣＨ＃１およびＣＨ＃２に対応する拡散符号＃１および＃２を用いてデータａおよびデータｂをそれぞれ拡散し、それらの拡散信号を出力する。この拡散処理は、拡散変調ユニット１１により行われる。
【００２２】
各移動機は、基地局１０からの拡散信号を受信すると、逆拡散復調ユニットは、基地局１０からの信号を受信するために設定されている通信チャネルに対応する拡散符号を用いてその受信信号を逆拡散する。すなわち、移動機２１の逆拡散復調ユニット２２は、通信チャネルＣＨ＃１およびＣＨ＃２を介して伝送されてくる拡散信号を復調するために、その受信信号に拡散符号＃１および＃２を独立して乗算する。このことにより、データａおよびデータｂが再生される。
【００２３】
このように、本実施形態のＣＤＭＡ通信システムでは、通信チャネル毎に互いに異なる拡散符号が使用される。したがって、逆拡散復調ユニットは、予め決められた１または複数の拡散符号を用いることにより、多数の拡散信号を含む受信信号の中からその拡散符号に対応する拡散信号を復調することができる。
【００２４】
上記図１に示した例において、本発明は、主に、基地局１０において複数の拡散信号を復調する逆拡散復調ユニット１１、または移動機２１において複数の拡散信号を復調する逆拡散復調ユニット２２に係わる。
【００２５】
図２は、本実施形態のＣＤＭＡ受信機の基本構成図である。このＣＤＭＡ受信機は、Ｎ個のパス検出器とＭ個の逆拡散復調器を含む構成である。ここで、Ｎ及びＭは、共に自然数であり、Ｎ＜Ｍである。実施例では、Ｎ＝１、Ｍ＝２である。したがって、各パス検出器は、複数の逆拡散復調器のために動作する。すなわち、各パス検出器は、複数の逆拡散復調器により時分割で共用される。
【００２６】
本実施形態のＣＤＭＡ受信機は、複数の通信チャネルを介して伝送されてくる拡散信号を復調するために、複数の逆拡散復調器３２ａ、３２ｂを備える。各逆拡散復調器は、それぞれ１本の通信チャネルを介して伝送されてくる拡散信号を復調する。たとえば、逆拡散復調器３２ａおよび３２ｂは、それぞれ通信チャネル＃ａおよび＃ｂを介して伝送されてくる拡散信号を復調する。このとき、逆拡散復調器３２ａは、通信チャネル＃ａに対応する拡散符号＃ａを使用し、逆拡散復調器３２ｂは、通信チャネル＃ｂに対応する拡散符号＃ｂを使用する。
【００２７】
通信チャネル毎に入力拡散信号と拡散符号とを乗算するタイミングを調整することは重要である。たとえば、ある通信チャネルを介して伝送されてくる拡散信号にその通信チャネルに対応する拡散符号を乗算したとしても、そのタイミングが正しくなければ、拡散信号は復調されない。このため、ＣＤＭＡ受信装置は、通信チャネル毎に拡散符号を乗算すべきタイミングを検出する機能を備える。本実施形態のＣＶＤＭＡ受信装置では、パス検出器３１がこの機能を提供する。
【００２８】
なお、移動体通信では、移動体端末の移動により、或いは伝送路の環境の変化などにより通信チャネルの遅延プロファイルが随時変化する。この場合、逆拡散復調器３２ａおよび３２ｂは、その遅延プロファイルの変化に応じて拡散信号に拡散符号を乗算するタイミングを調整する必用がある。したがって、パス検出器３１は、通信チャネルの遅延プロファイルを定期的にモニタし、その結果に基づいてタイミング信号を生成して逆拡散復調器３２ａおよび３２ｂに与える。そして、逆拡散復調器３２ａおよび３２ｂが、そのタイミング信号に従って乗算タイミングを調整しながら拡散信号の復調を継続する。
【００２９】
パス検出器３１は、例えば、マッチトフィルタを用いて通信チャネル毎にパスを検出する。ここで、「パス」とは、送信装置と受信装置との間に存在する互いに異なる通信路長を持った複数のパスのことであり、遅延プロファイルを検出することにより得られる。
【００３０】
図３(a) は、パス検出器が備える一般的なマッチトフィルタの基本構成図である。マッチトフィルタ４０は、たとえば、到着した拡散信号を順番に保持するシフトレジスタ４１、拡散符号を格納する拡散符号レジスタ４２、およびシフトレジスタに保持されている拡散信号と拡散符号レジスタに格納されている拡散符号との相関を求める演算（例えば、排他論理和演算）を行う演算回路４３を備え、入力される拡散信号と拡散符号との相関レベルを表すデータを時々刻々と出力していく。マッチトフィルタ４０により出力される相関レベルデータ（遅延プロファイル情報）の例を図３(b) に示す。
【００３１】
パス検出器３１は、この遅延プロファイルに基づいて、逆拡散復調器において受信した拡散信号に拡散符号を乗算すべきタイミングを指示するタイミング信号を生成する。一例としては、相関レベルが最大になったタイミングに従ってタイミング信号を生成する。或いは、相関レベルが所定の閾値を越えたタイミングに従ってタイミング信号を生成する。そして、パス検出器３１は、このタイミング信号を対応する逆拡散復調器に与える。
【００３２】
本実施形態のＣＤＭＡ受信機においては、パス検出器３１は、複数の逆拡散復調器に対してタイミング信号を与える。すなわち、パス検出器３１は、複数の逆拡散復調器により共用される。
【００３３】
図４(a) は、本実施形態のパス検出器の要部のブロック図である。ここでは、ＣＤＭＡ受信機が通信チャネル＃ａおよび＃ｂを介して伝送されてくる拡散信号を復調するものとする。なお、シフトレジスタ４１、拡散符号レジスタ４２および演算回路４３は、図３(a) を参照しながら説明した通りである。
【００３４】
拡散符号レジスタ４２には、拡散符号＃ａまたは＃ｂのうちのいずれか一方が書き込まれる。そして、演算回路４３は、シフトレジスタ４１に次々と入力される信号と拡散符号レジスタ４２に書き込まれている拡散符号との相関レベルを表すデータを順次出力していく。したがって、演算回路４３からの出力データは、拡散符号レジスタ４２に拡散符号＃ａが保持されている期間は、通信チャネル＃ａについての遅延プロファイル情報となり、拡散符号レジスタ４２に拡散符号＃ｂが保持されている期間は、通信チャネル＃ｂについての遅延プロファイル情報となる。
【００３５】
図４(b) は、図４(a) に示す演算回路４３の出力を示す図である。ここでは、時刻Ｔ1 〜時刻Ｔ2 および時刻Ｔ3 〜時刻Ｔ4 において拡散符号レジスタ４２に拡散符号＃ａが保持され、時刻Ｔ2 〜時刻Ｔ3 において拡散符号レジスタ４２に拡散符号＃ｂが保持されている。したがって、この場合、パス検出器３１は、時刻Ｔ1 〜時刻Ｔ2 および時刻Ｔ3 〜時刻Ｔ4 においては通信チャネル＃ａのために動作し、その期間に得られる相関レベルデータに基づいてタイミング信号を生成する。そして、そのタイミング信号を逆拡散復調器３２ａに与える。同様に、時刻Ｔ2 〜時刻Ｔ3 においては、パス検出器３１は、通信チャネル＃ｂのために動作し、その期間に得られる相関レベルデータに基づいて生成したタイミング信号を逆拡散復調器３２ｂに与える。逆拡散復調器３２ａおよび３２ｂは、それぞれ、パス検出器３１から与えられるタイミング信号に従って受信信号を拡散することにより信号を復調する。
【００３６】
図５は、パス検出器のブロック図である。マッチトフィルタ４０は、図３を参照しながら説明した機能を有する。拡散符号生成部５１は、制御部５３からの選択指示に従って拡散符号を生成してマッチトフィルタ４０に与える。拡散符号生成部５１は、たとえば、Gold符号生成回路を備える。この場合、制御部５３から与えられる選択指示は、たとえば、このGold符号生成回路の一方のシフトレジスタに入力される系列の位相（遅延量）を指示する信号である。プロファイルメモリ５２は、マッチトフィルタ４０の出力を格納する。マッチトフィルタ４０の出力は、相関レベルデータ（遅延プロファイル情報）であり、制御部５３からの書込み指示に従って決まるアドレスに書き込まれる。
【００３７】
制御部５３は、上述した選択指示および書込み指示を生成すると共に、プロファイルメモリ５２に格納されている相関レベルデータに基づいてタイミング信号を生成する。制御部５３は、たとえば、時間経過に従ってカウントアップされるカウンタ、あるいは現在時刻を表すカウンタを備え、そのカウンタのカウント値に従って上述した選択指示および書込み指示を生成する。以下、このカウンタを「時刻カウンタ」と呼ぶ。
【００３８】
たとえば、時刻カウンタのカウント値が図４(b) の時刻Ｔ1 を表す値にまでカウントアップされると、制御部５３は、拡散符号生成部５１に拡散符号＃ａを生成させるための選択指示を出力する。また、制御部５３は、マッチトフィルタ４０の出力をその時刻カウンタのカウント値に対応するアドレスに書き込むための書込み指示を生成する。この結果、プロファイルメモリ５２には、図６に示すように、時々刻々と変化する相関レベルデータの値が順次格納されていく。
【００３９】
制御部５３は、通信チャネル毎にタイミング信号を生成する。たとえば、カウント値が000ｘ〜000ｙである期間に拡散符号生成部５１が拡散符号＃ａを生成した場合には、マッチトフィルタ４０は、その期間、通信チャネル＃ａについての相関レベルデータを出力する。そして、その期間に生成された相関レベルデータは、プロファイルメモリ５２内のカウント＝000ｘ〜000ｙに対応するアドレスに書き込まれる。したがって、制御部５３は、通信チャネル＃ａに対応するタイミング信号を生成する際には、カウント値＝000ｘ〜000ｙに対応するアドレスから相関レベルデータを抽出する。
【００４０】
タイミング信号は、例えば、相関レベルデータがピークであったときの時刻カウンタのカウント値である。ここで、このカウント値は、時間（時刻）を表す情報である。したがって、この場合、このタイミング信号は、ある通信チャネルにおいて入力信号と拡散符号との相関がピークになったタイミングを表す信号である。
【００４１】
パス検出器３１が上述の構成である場合には、各逆拡散復調器は、パス検出器３１が有する時刻カウンタと同等の時刻カウンタを備える。そして、各逆拡散復調器は、パス検出器３１から与えられるタイミング信号および自装置内の時刻カウンタのカウント値に基づいて受信信号に拡散符号を乗算すべきタイミングを認識する。
【００４２】
このように、本実施形態のＣＤＭＡ受信機は、複数の通信チャネルを介して伝送されてくる拡散信号をそれぞれ復調する複数の逆拡散復調器、及びそれら複数の逆拡散復調器のためにタイミング信号を生成するパス検出器と備える構成である。このため、ハードウェア規模が大きなマッチトフィルタを含むパス検出器が共用されるので、ＣＤＭＡ受信機の小型化、および低消費電力化が実現される。
【００４３】
本実施例では、伝送信号は、データ信号および所定間隔ごとに挿入されるパイロット信号から構成される。このパイロット信号は、予め決められたデータ列から得られる信号であり、例えば、同期確立のために使用される。なお、拡散信号は、データ信号にパイロット信号が挿入された後に拡散符号を乗算することによって得られる。また、パス検出動作は、データ信号を利用するよりもパイロット信号を利用する方が有利である。
【００４４】
図７は、パイロット信号を利用してタイミング信号を生成する方法を説明する図である。なお、ＣＤＭＡ受信機は、パイロット信号を検出する機能を備えているものとする。パイロット信号を検出する方法は既知の技術である。
【００４５】
拡散信号は、通信チャネルごとに互いに独立して送出される。このため、ＣＤＭＡ受信機により受信される複数の拡散信号は互いに独立しており、一般に、通信チャネル毎にパイロット信号が到着するタイミングも互いに異なっている。
【００４６】
パス検出器３１は、通信チャネル＃ａを介して受信した拡散信号においてパイロット信号を検出すると、そのパイロット信号に対応する期間、通信チャネル＃ａのために動作する。すなわち、パス検出器３１は、通信チャネル＃ａを介して伝送されてきたパイロット信号と拡散符号＃ａとの相関レベルデータに基づいてタイミング信号を生成し、それを逆拡散復調器３２ａに与える。同様に、通信チャネル＃ｂを介して受信した拡散信号においてパイロット信号を検出すると、パス検出器３１は、そのパイロット信号に対応する期間、通信チャネル＃ｂのために動作する。
【００４７】
図８は、図７の動作を実現するための制御部の構成を示す図である。パイロットカウンタ６１ａ〜６１ｎは、通信チャネル毎に設けられ、パイロット信号の挿入周期と同じ周期でパルス信号を出力する。各パイロットカウンタは、対応する通信チャネルにおいてパイロット信号が検出されたときにカウント動作が開始され、以降、上記周期ごとにパルス信号を出力する。上記構成により、各パイロットカウンタは、対応する通信チャネルにおいてパイロット信号が到着するごとにパルス信号を出力することになる。
【００４８】
割込み通知部６２は、各パイロットカウンタからのパルス信号を受け取り、それらのパルス信号に従って割込み信号を生成する。たとえば、パイロットカウンタ６１ａからパルス信号を受け取ったときには、割込み通知部６２は、通信チャネル＃ａにおいてパイロット信号が検出された旨を処理部６３に通知する。
【００４９】
処理部６３は、割込み通知部６２から割込み信号を受け取ると、その割込み信号に従って上述した選択指示および書込み指示を生成する。たとえば、通信チャネル＃ａにおいてパイロット信号が検出された旨を認識すると、処理部６３は、拡散符号＃ａを生成するための選択指示を拡散符号生成部５１に与え、また、時刻カウンタ６４のカウント値に従ってマッチトフィルタ４０の出力を格納するためのアドレスを指示する書込み指示を生成する。時刻カウンタ６４は、例えば、現在時刻を表すカウンタである。
【００５０】
尚、選択指示および書込み指示に基づいて相関レベルデータを生成する処理、およびその相関レベルデータに基づいてタイミング信号を生成する処理は、上述した通りである。
【００５１】
上記構成において、複数のシンボルを含むパイロット信号を使用してもよい。ここで、「シンボル」は、信号を伝送する際の１つの信号点に対応する。たとえば、信号をＱＰＳＫで変調する場合には、２ビットのデータが１つの信号点に割り当てられるので、各シンボルは２ビットのデータに相当する。
【００５２】
図９は、複数のシンボルを含むパイロット信号が使用される場合のパス検出器の動作を説明する図である。ここでは、各パイロット信号が４シンボルから構成されている場合を示す。
【００５３】
同一パイロット信号に含まれる各シンボル間では、Ｉ−Ｑ空間上での位相のずれが小さいので、そのパイロット信号の相関は高い。したがって、この場合、マッチトフィルタ４０の出力について電圧加算（または、振幅加算）を行う。よく知られているように、電力加算よりも電圧加算の方が高いゲインが得られる。例えば、図９に示す例では、Ｐ1 ＝Ｐ11＋Ｐ12＋Ｐ13＋Ｐ14が実行される。一方、あるパイロット信号と他のパイロット信号との間では、Ｉ−Ｑ空間上での位相のずれが大きくなることがあり、そのパイロット信号の相関は低くなる。したがって、この場合、マッチトフィルタ４０の出力について電力加算を行う。電力加算を行えば、振幅データが二乗されるので、位相が反転していたとしても加算値が相殺されることはない。たとえば、図９に示す例では、下式が実行される。
【００５４】
Ｐ＝Ｐ1 2 ＋Ｐ2 2 ＋Ｐ3 2 ＋・・・＋Ｐn 2 
図１０は、図９に示す加算演算を実行する回路を示す図である。電圧（振幅）加算部６１は、加算タイミングを調整するためのディレイを有し、各パイロット信号に含まれている４つのシンボルに対して得られるデータを加算する。電力加算部６２は、電圧加算部６１の出力を二乗する二乗演算部と、二乗演算部の出力を累積的に加算する加算回路を備える。そして、電力加算部６２の出力はプロファイルメモリ５２に書き込まれる。
【００５５】
このように、本実施形態のＣＤＭＡ受信機のパス検出器３１は、データ信号に挿入されるパイロット信号として複数のシンボルを含む信号が使用される場合には、タイミング信号を生成ために使用する相関レベルデータを得る際に、振幅加算および電力加算を併用するので、大きなゲインを確保しながら、正確な遅延プロファイルが得られる。
【００５６】
なお、上記実施例では、パイロット信号間の相関が低い場合には、電力加算を実行しているが、電力加算の代わりに絶対値加算を実行してもよい。この場合、図１０において、二乗演算部の代わりに絶対値演算部を設ければよい。二乗演算部を絶対値演算部に置き換えると、回路規模が小さくなる。
【００５７】
ところで、上述したように、ＣＤＭＡ受信機により受信される複数の拡散信号は互いに独立しているので、複数の通信チャネルにおいて同時にパイロット信号が到着することがある。なお、「同時に」は、異なるチャネルのパイロット信号の一部が互いに重なりあうことを含むものとする。以下、複数の通信チャネルにおいて同時にパイロット信号が到着した場合の動作を説明する。
【００５８】
複数の通信チャネルにおいて同時にパイロット信号が到着すると、図８に示す複数のパイロットカウンタが同時にパルス信号を出力する。この場合、処理部６３は、図１１に示す優先順位テーブルを参照して、タイミング信号を生成すべき通信チャネルを決定する。優先順位テーブルには、通信チャネル毎に優先レベルが設定されている。
【００５９】
例えば、通信チャネル＃ａおよび＃ｂにおいて同時にパイロット信号が検出された場合には、パイロットカウンタ６１ａおよび６１ｂが同時にパルス信号を出力する。このようにして競合が発生すると、処理部６３は、優先順位テーブルを参照し、通信チャネル＃ａおよび＃ｂの優先レベルを調べる。図１１の例では、通信チャネル＃ａに対して高い優先度が与えられている。従って、この場合、パス検出器３１は、通信チャネル＃ａのためのタイミング信号を生成する。
【００６０】
優先順位テーブルは、上記競合が発生した場合には、その後更新される。たとえば、上述の例のように、通信チャネル＃ａと＃ｂとの間で競合が発生したときに通信チャネル＃ａを選択した場合には、通信チャネル＃ａの優先レベルを低くする（優先レベル＝４→３）と共に、通信チャネル＃ｂの優先レベルを高くする（優先レベル＝３→４）。優先順位テーブルをこのように更新すれば、次に通信チャネル＃ａと＃ｂとの間で競合が発生したときには、通信チャネル＃ｂが選択されることになる。上記処理により、各通信チャネルに対して平等にタイミング信号が生成される。
【００６１】
なお、優先順位テーブルは、複数の通信チャネルにおいて同時にパイロット信号が到着した場合にのみ参照され、他の場合には参照されない。
【００６２】
優先順位テーブルの更新方法は、上記の実施例の方法に限定されるものではない。以下、いくつか方法を示す。
(1) 新たに確立された通信チャネルに高い優先順位を与える方法
新たに通信チャネルが確立されるときは、拡散同期を確立する必用が生じるので、その通信チャネルには即座にタイミング信号を与える必用がある。即ち、その通信チャネルに対しては、他の通信チャネルよりも優先的にタイミング信号を与える必用がある。したがって、パス検出器３１は、通信チャネルの確立要求を検出した場合には、優先順位テーブルにおいてその通信チャネルの優先レベルとして最も高い値を設定する。なお、移動体端末があるセルから他にセルに移動した場合（ハンドオーバ）にも、同様に、その通信チャネルに高い優先レベルを与える。
【００６３】
上記方法により、パス情報が得られていない通信チャネルに対しては、他の通信チャネルよりも優先的にタイミング情報が与えられる。したがって、本実施形態では、パス検出器３１が複数の通信チャネルにより共有されているにも拘わらず、新たに確立される通信チャネルには即座にタイミング信号が与えられ、短時間で高い通信品質が得られる。
(2) 遅延プロファイルをモニタする方法
拡散信号の復調タイミングは、遅延プロファイルに基づいて決定される。ところが、各通信チャネルの遅延プロファイルは、図１２に示すように、伝送路の状態や端末の移動などの影響によって時々刻々と変化する。したがって、ある通信チャネルの遅延プロファイルが変化したときには、それに伴ってその通信チャネルの復調タイミングを調整することが望ましい。
【００６４】
本実施例では、各通信チャネル毎に遅延プロファイルを継続的にモニタし、その変化が大きい通信チャネルの優先レベルを高くする。優先レベルは、上述の例と同様に、優先順位テーブルに設定される。
【００６５】
なお、遅延プロファイルの変化をモニタする際、図１３(a) に示すように、最大パス（相関値が最大のパス）のみを比較する方法であってもよい。図１３(a) に示す例では、遅延量Δφが大きくなったときに、その通信チャネルの優先レベルを高くする。この方法を導入すれば、遅延プロファイルを比較する動作が簡略化されるので、そのための回路規模、比較時間が小さくなる。
【００６６】
また、図１３(b) に示すように、最大パスおよびその最大パスから６ｄＢの範囲内にあるパスを利用する方法であってもよい。図１３(b) に示す例では、遅延量Δφ１またはΔφ２が大きくなったときに、その通信チャネルの優先レベルを高くする。なお、一般に、ＲＡＫＥ等において複数のパスを合成する際には、最大パスおよびその最大パスから６ｄＢの範囲内にあるパスが有効パスと呼ばれている。この方法を導入すれば、図１３(a) に示す方法と比べれば回路規模はやや大きくなるが、優先順位の制御の特性は向上する。
(3) 誤り率をモニタする方法
通信チャネル毎の誤り率は、通常、伝送路の状態などに応じて変化する。ところが、ＣＤＭＡ受信機における復調タイミングが適切でない場合にも誤り率は劣化する。したがって、通信チャネル毎に誤り率をモニタし、その誤り率の劣化が検出された通信チャネルの復調タイミングを調整することは有用である。
【００６７】
本実施例では、優先順位テーブルにおいて、誤り率の劣化が検出された通信チャネルの優先レベルを高くする。このことにより、誤り率の劣化が検出された通信チャネルについて優先的に復調タイミングが調整されることになる。なお、各通信チャネルの誤り率を検出する処理は、既存のＣＤＭＡ通信装置において送信パワー制御などのために実施されている。本実施形態のパス検出器３１は、既存の技術により得られる誤り率データを利用する。
【００６８】
上述の実施例では、複数の通信チャネルにおいて同時にパイロット信号が到着した場合に、その中の１つの通信チャネルについてタイミング信号を生成する方法を説明したが、もし可能であれば、それらすべての通信チャネルについてタイミング信号を生成できることが望ましい。以下では、複数の通信チャネルにおいて同時にパイロット信号が到着した場合に、それら複数の通信チャネルについてタイミング信号を生成する方法について説明する。
【００６９】
図１４は、パス検出器の前段に入力信号を格納するためのメモリを設けたＣＤＭＡ受信機のブロック図である。メモリ７１は、たとえば半導体メモリであり、入力信号を格納する。
【００７０】
通信チャネル＃ａ及び＃ｂを介して伝送される拡散信号を含む入力信号は、そのままパス検出器３１に与えられると共に、メモリ７１に書き込まれる。パス検出器３１は、既存の技術により各通信チャネルのパイロット信号を検出する。このとき、各通信チャネルごとに互いに異なるタイミングでパイロット信号が検出されるのであれば、パス検出器３１は、メモリ７１に格納される入力信号を使用することなく、上述した方法で各通信チャネルのためのタイミング信号を生成する。
【００７１】
ところが、図１５に示すように、入力信号に含まれている複数の通信チャネルのパイロット信号のタイミングが互いに重なり合っているときには、パス検出器３１は、メモリ７１に格納される入力信号を利用する。たとえば、通信チャネル＃ａおよび＃ｂのパイロット信号のタイミングが互いに重なり合っている場合には、パス検出器３１は、時刻Ｔ1 〜Ｔ2 において、通信チャネル＃ａのためのタイミング信号を生成し、続いて、時刻Ｔ2 〜Ｔ3 において、通信チャネル＃ｂのためのタイミング信号を生成する。パス検出器３１は、時刻Ｔ1 〜Ｔ2 においては、メモリ７１を介することなく与えられる入力信号を利用してタイミング信号を生成する。この場合、パス検出器３１は、図５を参照しながら説明した方法において、拡散符号＃ａを用いて入力信号を拡散して相関レベルデータを生成し、その相関レベルデータに基づいて通信チャネル＃ａのためのタイミング信号を生成する。また、パス検出器３１は、時刻Ｔ2 〜Ｔ3 においては、メモリ７１に格納されている入力信号を利用してタイミング信号を生成する。この場合、パス検出器３１は、拡散符号＃ｂを用いて入力信号を拡散して相関レベルデータを生成し、その相関レベルデータに基づいて通信チャネル＃ｂのためのタイミング信号を生成する。このように、メモリ７１は、入力信号を遅延させるために利用されている。
【００７２】
図１４に示すＣＤＭＡ受信機は、入力信号をすべてメモリ７１に格納する構成であるが、パイロット信号を利用してタイミング信号を生成する構成の場合は、そのタイミング信号を生成するためには、すべての入力信号が必用になるわけではない。すなわち、各通信チャネルのパイロット信号が与えられれば、それらの通信チャネルのためのタイミング信号を生成することができる。
【００７３】
この点を考慮すれば、メモリ７１にパイロット信号のみを書き込む構成であっても図１４に示した構成と同等の効果が得られる。たとえば、図１６に示すように、時刻Ｔ1 〜Ｔ2 において通信チャネル＃ａおよび＃ｂのパイロット信号が同時に到着する場合には、メモリ７１には、時刻Ｔ1 〜Ｔ2 に到着した入力信号のみが書き込まれる。そして、パス検出器３１は、まず、メモリ７１を介することなく与えられた入力信号を利用して通信チャネル＃ａのためのタイミング信号を生成し、続いて、メモリ７１に格納されている入力信号を利用して通信チャネル＃ｂのためのタイミング信号を生成する。上記構成を採用すれば、メモリ７１の容量が小さくなる。
【００７４】
なお、図１４〜図１６に示した例では、２本の通信チャネルのパイロット信号が互いに重なり合った場合を想定しているが、上記方法は、３以上のパイロット信号が互いに重なり合った場合にも適用可能である。例えば、Ｎ本の通信チャネル（＃ａ〜＃ｎ）のパイロット信号が互いに重なり合った場合には、パス検出器３１は、まず、メモリ７１を介することなく与えられた入力信号を利用して通信チャネル＃ａのためのタイミング信号を生成する。続いて、パス検出器３１は、メモリ７１に格納されている入力信号を利用して通信チャネル＃ｂのためのタイミング信号を生成する。以降、パス検出器３１は、通信チャネル＃ｃ〜＃ｎのために順次メモリ７１に格納されている入力信号を読み出し、その入力信号を利用して通信チャネル＃ｃ〜＃ｎのためのタイミング信号を生成する。
【００７５】
上述のように、図１４〜図１６に示したＣＤＭＡ受信機は、パス検出器の前段に入力信号を格納するためのメモリを設けることにより、複数の通信チャネルにおいて同時にパイロット信号が到着した場合であっても、それら複数の通信チャネルのためにそれぞれタイミング信号を生成することができる。この結果、パス検出器３１の利用効率が向上すると共に、各通信チャネルに対してタイミング信号を与える頻度が高くなるので、各通信チャネルの通信品質も向上する。
【００７６】
ところで、パス検出器３１において通信チャネル毎の遅延プロファイルを作成し、その遅延プロファイルに基づいて各通信チャネルのためのタイミング信号を生成するためには所定の時間を要する。したがって、パス検出器３１によってタイミング信号が生成された後に入力信号の復調動作を開始すると、入力信号の先頭部分を復調できないことがある。以下では、この問題を解決する方法の実施例を示す。
【００７７】
図１７は、逆拡散復調器の前段に入力信号を格納するための遅延ユニットを設けたＣＤＭＡ受信機のブロック図である。遅延ユニット７２は、たとえば、半導体メモリ（ＲＡＭ）、およびそのメモリを制御する回路により実現される。
【００７８】
遅延ユニット７２による遅延時間は、パス検出器３１においてタイミング信号を生成するのに要する時間である。この時間は、パイロット信号が挿入されている間隔、およびタイミング信号を生成する際に使用するパイロット信号の数に応じて決まる。また、遅延ユニット７２による遅延時間は、遅延ユニット７２へ入力信号を書き込むタイミングと遅延ユニット７２からその入力信号を読み出すタイミングとの差として得られる。
【００７９】
図１８は、図１７に示すＣＤＭＡ受信機の動作を説明する図である。入力信号は、パス検出器３１に与えられると共に、遅延ユニット７２により時間Ｄだけ遅延されて逆拡散復調器３２ａおよび３２ｂにも与えられる。パス検出器３１は、時間Ｄが経過する前にタイミング信号を生成して対応する逆拡散復調器に与える。このことにより、逆拡散復調器３２ａまたは３２ｂは、入力信号を受信するよりも前にその入力信号を復調するタイミングを指示するタイミング信号を受け取る。したがって、逆拡散復調器３２ａおよび３２ｂは、すべての入力信号を確実に復調することができる。
【００８０】
なお、上記実施例では、図１４〜図１６に示した機能および図１７〜図１８に示した機能を独立して説明したが、これらの機能を併せ持つＣＤＭＡ受信機を実現することも可能である。上記２つの機能を併せ持つＣＤＭＡ受信機のブロック図を図１９に示す。この構成を導入すれば、パス検出器３１の利用効率の向上、各通信チャネルの品質の向上が達成され、同時に、伝送信号の先頭部分も確実に復調できる。
【００８１】
ところで、フェージングによる影響を防ぐ技術の１つとしてスペースダイバーシチ受信が知られている。スペースダイバーシチ受信では、受信波が互いに無相関となるように配置された複数のアンテナを用いてフェージング波を受信し、各アンテナにより受信した受信波を合成する。なお、各アンテナにより受信した受信波は、ダイバーシチブランチと呼ばれることがある。
【００８２】
図２０は、スペースダイバーシチ受信機能を持ったＣＤＭＡ受信機のブロック図である。ここでは、２本のアンテナを用いたスペースダイバーシチであるものとして説明する。なお、各アンテナにより受信したダイバーシチブランチをブランチ１およびブランチ２と呼ぶことにする。
【００８３】
ダイバーシチ受信機能を導入する場合は、パス検出器３１は、通信チャネル毎にそれぞれブランチ１およびブランチ２についてタイミング信号を生成する必用がある。そして、各逆拡散復調器は、それぞれブランチ１およびブランチ２について生成されたタイミング信号を用いて対応する通信チャネルを介して伝送されてくる拡散信号を復調する。ところが、各ダイバーシチブランチは、同一の入力信号を異なる位相で受信することによって得られるので、図２１に示すように、ブランチ１およびブランチ２は、互いに同じタイミングでパイロット信号を出力する。
【００８４】
本実施形態では、パス検出器３１の前段に設けたメモリ７１を用いてブランチ１から受信した信号およびブランチ２から受信した信号をいったん格納することにより、各ダイバーシチブランチについてのタイミング信号を生成できるようにしている。即ち、パス検出器３１は、まず、メモリ７１を利用することなく与えられた入力信号を利用してブランチ１についてのタイミング信号を生成し、続いて、メモリ７１に格納されている入力信号を利用してブランチ２についてのタイミング信号を生成する。なお、この動作は、通信チャネルごとに行われる。
【００８５】
図２２では、２つの通信チャネルのパイロット信号の到着タイミングが互いに重なった場合の動作例を示す図である。この場合、パス検出器３１は、(1) 通信チャネル＃ａのブランチ１についてタイミング信号を生成する動作、(2) 通信チャネル＃ａのブランチ２についてタイミング信号を生成する動作、(3) 通信チャネル＃ｂのブランチ１についてタイミング信号を生成する動作、(4) 通信チャネル＃ｂのブランチ２についてタイミング信号を生成する動作、を時系列に実行する。そして、逆拡散復調器３２ａは、上記(1) 及び(2) の動作により生成されたタイミング信号を用いて通信チャネル＃ａを介して伝送されてくる拡散信号を復調し、逆拡散復調器３２ｂは、上記(3) 及び(4) の動作により生成されたタイミング信号を用いて通信チャネル＃ｂを介して伝送されてくる拡散信号を復調する。
【００８６】
上記実施例では、基本的に、データ信号に挿入されているパイロット信号を利用して拡散信号を復調するためのタイミング信号を生成しているが、本発明はこの構成に限定されるものではない。すなわち、たとえば、データ信号の所定の部分を利用して拡散信号を復調するためのタイミング信号を生成する構成にも適用可能である。
【００８７】
また、上記実施例では、データ信号にパイロット信号が挿入された状態で伝送されるシステムを前提としているが、本発明はこのようなシステムに限定されるものではない。
【００８８】
【発明の効果】
本発明は、拡散信号を復調するために使用されるタイミング信号を生成する回路を複数の逆拡散復調器により共用する構成としてので、ＣＤＭＡ受信機の低消費電力化、および小型化に寄与する。また、上記タイミング信号を生成する回路を時分割で利用するので、通信品質の劣化は起こらないか、或いは最小限に抑えられる。
【図面の簡単な説明】
【図１】本発明の一実施形態のＣＤＭＡ用受信装置が使用されるＣＤＭＡ通信システムの構成図である。
【図２】本発明のＣＤＭＡ受信装置の基本構成図である。
【図３】  (a) はパス検出器が備える一般的なマッチトフィルタの基本構成図、(b) はマッチトフィルタの出力の例である。
【図４】  (a) は本実施形態のパス検出器の要部のブロック図、(b) は演算回路の出力を示す図である。
【図５】パス検出器のブロック図である。
【図６】プロファイルメモリの例を模式的に示した図である。
【図７】パイロット信号を利用してタイミング信号を生成する方法を模式的に示す図である。
【図８】図７の動作を実現するための制御部の構成を示す図である。
【図９】複数のシンボルを含むパイロット信号が使用される場合のパス検出器の動作を説明する図である。
【図１０】図９に示す加算演算を実行する回路を示す図である。
【図１１】優先順位テーブルの例である。
【図１２】時間経過に伴って変化する遅延プロファイルの例である。
【図１３】遅延プロファイルの変化の様子を示す図である。
【図１４】パス検出器の前段に入力信号を格納するためのメモリを設けたＣＤＭＡ受信機のブロック図である。
【図１５】図１４に示すＣＤＭＡ受信機のパス検出器の動作を説明する図である。
【図１６】パイロット信号のみをメモリに格納する場合の動作を説明する図である。
【図１７】逆拡散復調器の前段に入力信号を格納するための遅延ユニットを設けたＣＤＭＡ受信機のブロック図である。
【図１８】図１７に示すＣＤＭＡ受信機の動作を説明する図である。
【図１９】図１４〜図１８を参照しながら説明した機能を併せ持つＣＤＭＡ受信機のブロック図である。
【図２０】スペースダイバーシチ受信機能を備えたＣＤＭＡ受信機のブロック図である。
【図２１】スペースダイバーシチ受信機能を備えたＣＤＭＡ受信機の動作例を示す図（その１）である。
【図２２】スペースダイバーシチ受信機能を備えたＣＤＭＡ受信機の動作例を示す図（その２）である。
【図２３】既存の受信装置のブロック図である。
【符号の説明】
３１            パス検出器
３２ａ、３２ｂ  逆拡散復調器
４０            マッチトフィルタ
５１            拡散符号生成部
５２            プロファイルメモリ
５３            制御部
６１            電圧加算部
６２            電力加算部
７１            メモリ
７２            遅延ユニット
【図１】
0003741881.tif 000002
【図２】
0003741881.tif 000003
【図３】
0003741881.tif 000004
【図４】
0003741881.tif 000005
【図５】
0003741881.tif 000006
【図６】
0003741881.tif 000007
【図７】
0003741881.tif 000008
【図８】
0003741881.tif 000009
【図９】
0003741881.tif 000010
【図１０】
0003741881.tif 000011
【図１１】
0003741881.tif 000012
【図１２】
0003741881.tif 000013
【図１３】
0003741881.tif 000014
【図１４】
0003741881.tif 000015
【図１５】
0003741881.tif 000016
【図１６】
0003741881.tif 000017
【図１７】
0003741881.tif 000018
【図１８】
0003741881.tif 000019
【図１９】
0003741881.tif 000020
【図２０】
0003741881.tif 000021
【図２１】
0003741881.tif 000022
【図２２】
0003741881.tif 000023
【図２３】
0003741881.tif 000024